【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
廃棄可能なＥメールアドレスを生成する方法であって、
ホスト名ドメイン、ユーザ名、ドメイン・タグ、及びパスコードを含めることによって、廃棄可能なＥメールアドレスを構築するステップであって、前記ユーザ名が、前記ホスト名ドメインにおいて前記廃棄可能なＥメールアドレスを所有するユーザを識別し、及び前記ドメイン・タグが、前記ホスト名ドメインにおいてＥメール送信者ドメインから該ユーザに宛ててＥメールを送るのに用いるために前記廃棄可能なＥメールアドレスが与えられることになる前記Ｅメール送信者ドメインを識別する、前記構築するステップと、
前記ユーザに提供された複数のパスコード検証アルゴリズムのうちのユーザ選択されたアルゴリズムを用いて、前記廃棄可能なＥメールアドレスについての前記パスコードを該ユーザが選択することを許すステップと
を含み、
前記廃棄可能なＥメールアドレスが、大量の不要Ｅメールの減少を容易にするために前記ユーザによって用いられる、前記方法。
【請求項２】
前記パスコードを選択することが、前記廃棄可能なＥメールアドレスを予め登録するか又は予め格納することなしに、オンザフライ式で生じ、前記方法は、前記廃棄可能なＥメールアドレスをＥメールとともに受信したときにその検証に用いるために、前記複数のパスコード検証アルゴリズムのうちの前記ユーザ選択されたアルゴリズムを格納するステップをさらに含む、請求項１に記載の方法。
【請求項３】
複数の送信者ドメインについての廃棄可能なＥメールアドレスの生成を繰り返して、複数の廃棄可能なＥメールアドレスを生成するステップをさらに含み、及び、前記方法は、異なる送信者ドメインについての複数の固有の廃棄可能なＥメールアドレスを前記ユーザが選択することを許すステップをさらに含み、前記固有の廃棄可能なＥメールアドレスは、異なるドメイン・タグ及び異なるパスコードを有する、請求項１又は２に記載の方法。
【請求項４】
異なる廃棄可能なＥメールアドレスについてのパスコードを選択するときに、前記複数のパスコード検証アルゴリズムのうちの前記ユーザ選択されたアルゴリズムを前記ユーザが変更することを許すステップをさらに含む、請求項３に記載の方法。
【請求項５】
前記廃棄可能なＥメールアドレスが形式  ｍａｉｌｂｏｘＩＤ＠ｈｏｓｔｎａｍｅを有し、該ｍａｉｌｂｏｘＩＤは、前記ユーザ名、前記ドメイン・タグ、及び前記パスコードを含み、該ｈｏｓｔｎａｍｅとは、前記ホスト名ドメインである、請求項１〜４のいずれか一項に記載の方法。
【請求項６】
ホスト名ドメイン、ユーザ名、ドメイン・タグ、及びパスコードを有する廃棄可能なＥメールアドレスを構築し且つ処理する方法であって、
（ｉ）廃棄可能なＥメールアドレスをユーザが生成することを許し、該廃棄可能なＥメールアドレスを送信者ドメインに送るステップであって、前記廃棄可能なＥメールアドレス中のドメイン・タグが、前記廃棄可能なＥメールアドレスが送られる前記送信者ドメインを識別し、及び、前記生成することが、廃棄可能なアドレスシステムによって前記ユーザに提供された複数のパスコード検証アルゴリズムのうちのユーザ選択されたアルゴリズムを用いて、前記廃棄可能なＥメールアドレスについてのパスコードをユーザが選択することを許す、前記送るステップと、
（ｉｉ）前記廃棄可能なアドレスシステムにおいて受信されたＥメールに関連付けられた前記廃棄可能なＥメールアドレスが有効かどうかを判断し、そして有効である場合、該Ｅメールを、該廃棄可能なＥメールアドレスを所有する前記ホスト名ドメインにいるユーザに送信するステップと、
（ｉｉｉ）前記廃棄可能なＥメールアドレスに関連付けられた前記Ｅメールが大量の不要Ｅメールを含んでいることをユーザが通知することを許し、そして前記廃棄可能なＥメールアドレスは汚染されていることを前記廃棄可能なアドレスシステムに知らせるステップと、
（ｉｖ）その廃棄可能なＥメールアドレスを有する将来のＥメールが前記廃棄可能なアドレスシステムによって前記ユーザに送られるのを防止するために、前記廃棄可能なアドレスシステムにおいて前記汚染された廃棄可能なＥメールアドレスの取り消しを示すステップと
を含む、前記方法。
【請求項７】
前記廃棄可能なＥメールアドレスが汚染されていることを、前記ユーザから該廃棄可能なＥメールアドレスを受信した１又は複数の送信者に警告するように、該廃棄可能なアドレスシステムによって提案するステップをさらに含む、請求項６に記載の方法。
【請求項８】
前記汚染されている廃棄可能なＥメールアドレスに宛てて以前にＥメールを送った送信者ドメインを前記廃棄可能なアドレスシステムによって識別するステップと、その送信者ドメインから送られたＥメールに伴い且つ前記ホスト名ドメインにおいて前記ユーザ又は他のユーザによって所有されるところの他の廃棄可能なＥメールアドレスの大量取り消しを提供するステップと
をさらに含む、請求項６又は７に記載の方法。
【請求項９】
前記判断するステップ（ｉｉ）は、
前記廃棄可能なＥメールアドレスからユーザ名、ドメイン・タグ、及びパスコードを前記廃棄可能なアドレスシステムによって抽出するステップと、
前記ユーザ名が前記廃棄可能なアドレスシステムに対して予め定義されているかどうかを判断するためのチェックを行い、予め定義されていない場合には前記Ｅメールを拒否するステップと
を含む、請求項６〜８のいずれか１項に記載の方法。
【請求項１０】
前記廃棄可能なＥメールアドレスが前記廃棄可能なアドレスシステムにおいて以前に記録されたことがあるかどうかを前記廃棄可能なアドレスシステムによって判断するステップと、
以前に記録されていなかったものである場合、前記ユーザに対して定められた複数のパスコード検証アルゴリズムのうちの格納されたユーザ選択されたパスコード・アルゴリズムを用いることによって、前記パスコードが有効かどうかを判断するステップと、
前記パスコードが有効でない場合、前記Ｅメールを拒否し、そうでない場合、前記廃棄可能なアドレスシステムにおいて該廃棄可能なＥメールアドレスを記録し、該Ｅメールを該ユーザに送信するステップと
をさらに含む、請求項９に記載の方法。
【請求項１１】
前記廃棄可能なＥメールアドレスが以前に記録されたことがあることを前記廃棄可能なアドレスシステムが判断する場合、前記方法は、該廃棄可能なＥメールアドレスが取り消されたものであるかどうかを該廃棄可能なアドレスシステムによって判断するステップと、
取り消されたものである場合、潜在的な大量の不要Ｅメールとして、前記Ｅメールを隔離するステップと、
そうでない場合には、前記Ｅメールを前記ユーザに送信するステップと
をさらに含む、請求項１０に記載の方法。
【請求項１２】
前記廃棄可能なＥメールアドレスが取り消されたものであることを、前記ユーザから該廃棄可能なＥメールアドレスを以前に受信した合法的送信者ドメインに警告するように、前記廃棄可能なアドレスシステムによって提案するステップと、
前記廃棄可能なＥメールアドレスを以前に受信した送信者ドメインのリストを前記ユーザに提供するステップと
をさらに含む、請求項６〜１１のいずれか１項に記載の方法。
【請求項１３】
前記廃棄可能なアドレスシステムによって提供された前記送信者ドメインの前記リストから送信者ドメインのサブセットを前記ユーザが選択することを許すステップと、
前記送信者ドメインの前記サブセットについての新しい廃棄可能なアドレスを前記ユーザが作成することを許すステップと
をさらに含む、請求項１２に記載の方法。
【請求項１４】
前記ユーザに対して定められた複数のパスコード検証アルゴリズムのうちのユーザ選択されたパスコード検証アルゴリズムを用いて、前記ユーザが作成した前記新しい廃棄可能なＥメールアドレスを前記廃棄可能なアドレスシステムにおいて検証するステップをさらに含む、請求項１３に記載の方法。
【請求項１５】
前記新しい廃棄可能なＥメールアドレスを、前記ユーザによって選択された送信者ドメインの前記サブセットに送るステップをさらに含む、請求項１４に記載の方法。
【請求項１６】
前記廃棄可能なＥメールアドレスを以前に受信した送信者ドメインのリストを前記廃棄可能なアドレスシステムによって決定するステップと、
前記リスト内の１又は複数の送信者ドメインから受信したＥメールに関連付けられた他の廃棄可能なＥメールアドレスの大量取り消しを提供するステップと
をさらに含む、請求項６〜１５のいずれか１項に記載の方法。
【請求項１７】
廃棄可能なＥメールアドレスを生成するシステムであって、
ホスト名ドメイン、ユーザ名、ドメイン・タグ、及びパスコードを含めることによって、廃棄可能なＥメールアドレスを構築する手段であって、前記ユーザ名が、前記ホスト名ドメインにおいて前記廃棄可能なＥメールアドレスを所有するユーザを識別し、及び前記ドメイン・タグが、前記ホスト名ドメインにおいてＥメール送信者ドメインから該ユーザに宛ててＥメールを送るのに用いるために前記廃棄可能なＥメールアドレスが与えられることになる前記Ｅメール送信者ドメインを識別する、前記構築する手段と、
前記ユーザに提供された複数のパスコード検証アルゴリズムのうちのユーザ選択されたアルゴリズムを用いて、前記廃棄可能なＥメールアドレスについての前記パスコードを該ユーザが選択することを許す手段と
を含み、
前記廃棄可能なＥメールアドレスが、大量の不要Ｅメールの減少を容易にするために前記ユーザによって用いられる、前記システム。
【請求項１８】
ホスト名ドメイン、ユーザ名、ドメイン・タグ、及びパスコードを有する廃棄可能なＥメールアドレスを構築し且つ処理するシステムであって、
（ｉ）廃棄可能なＥメールアドレスをユーザが生成することを許し、該廃棄可能なＥメールアドレスを送信者ドメインに送る手段であって、前記廃棄可能なＥメールアドレス中のドメイン・タグが、前記廃棄可能なＥメールアドレスが送られる前記送信者ドメインを識別し、及び、前記生成することが、廃棄可能なアドレスシステムによって前記ユーザに提供された複数のパスコード検証アルゴリズムのうちのユーザ選択されたアルゴリズムを用いて、前記廃棄可能なＥメールアドレスについてのパスコードをユーザが選択することを許す、前記送る手段と、
（ｉｉ）前記廃棄可能なアドレスシステムにおいて受信されたＥメールに関連付けられた前記廃棄可能なＥメールアドレスが有効かどうかを判断し、そして有効である場合、該Ｅメールを、該廃棄可能なＥメールアドレスを所有する前記ホスト名ドメインにいるユーザに送信する手段と、
（ｉｉｉ）前記廃棄可能なＥメールアドレスに関連付けられた前記Ｅメールが大量の不要Ｅメールを含んでいることをユーザが通知することを許し、そして前記廃棄可能なＥメールアドレスは汚染されていることを前記廃棄可能なアドレスシステムに知らせる手段と、
（ｉｖ）その廃棄可能なＥメールアドレスを有する将来のＥメールが前記廃棄可能なアドレスシステムによって前記ユーザに送られるのを防止するために、前記廃棄可能なアドレスシステムにおいて前記汚染された廃棄可能なＥメールアドレスの取り消しを示す手段と
を含む、前記システム。
【請求項１９】
廃棄可能なＥメールアドレスを生成するコンピュータ・プログラムであって、
コンピュータシステムに、請求項１〜１６のいずれか１項に記載の方法の各ステップを実行させる、前記コンピュータ・プログラム。